(57)【特許請求の範囲】
【請求項１】
贈答品を収容する容器と、一方の面に接着手段が設けられるとともに他方の面にメッセージを記入するための記入領域が形成されたメッセージシールとを備え、前記容器は、有底筒状の容器本体と、容器本体に嵌合される蓋体とを備え、前記メッセージシールは、容器本体に蓋体を嵌合したときに容器本体又は蓋体の何れか一方の外側を向いて相手側と対向することになる外側領域に貼着するように構成されるとともに、外側領域に貼着して蓋体を容器本体に嵌合することで容器本体又は蓋体の何れか他方にメッセージが隠蔽されるように記入領域が設定されていることを特徴とするギフト用包装キット。
【請求項２】
一方の面に有色透明又は無色透明の接着層が形成されるとともに該接着層に対して離形紙が剥離可能に積層された有色透明又は無色透明の保護シールを更に備え、該保護シールは、記入領域を被覆可能なサイズに設定されている請求項１記載のギフト用包装キット。
【請求項３】
前記メッセージシールは、外側領域内に配置可能なサイズに形成され、外側領域に貼着する際に容器本体又は蓋体の何れか一方の開口端側に位置することになる端縁の少なくとも一部に折り返し可能な位置決め用突片が延設されている請求項１又は２に記載のギフト用包装キット。
【請求項４】
一方の面の全面に接着層が形成されるとともに該接着層に対して離形紙が剥離可能に積層されたシール体を備え、シール体は、少なくとも二つの領域が分離可能に構成され、該シール体から分離される領域が、嵌合した容器本体と蓋体とを貼着するための封印シール及び前記メッセージシールになるように構成されている請求項１乃至３の何れか１項に記載のギフト用包装キット。
【発明の詳細な説明】
【技術分野】
【０００１】
本発明は、贈答品を包装するためのギフト用包装キットに関する。
【背景技術】
【０００２】
一般に、贈答品は、箱等の容器で包装した状態で相手に送られるが、その贈答品を送るに当たって、送り主のメッセージを記入したメッセージカードが添えられる場合がある。
【発明の開示】
【発明が解決しようとする課題】
【０００３】
しかしながら、従来のようにメッセージカードを包装した贈答品に添えると、何人にもメッセージが添えられていることが把握される上に、メッセージの内容まで把握される虞があるため、第三者に知られたくない自分の気持ちをメッセージとして書くことができないといった問題がある。
【０００４】
また、従来の方法では、第三者にメッセージの内容が把握されなかったとしても、贈答品を受ける者が一見してメッセージカードの存在を認識できてしまうため、贈答品を受ける者に対し、何らかのメッセージが添えられているかどうかといった期待感を与えたり、メッセージが添えられていないと思わせながらも開封時にメッセージが添えられていたことを認識させて驚きや感動を与えたりするといった演出ができなかった。
【０００５】
そこで、本発明は、斯かる実情に鑑み、第三者にメッセージの内容を把握されることなく、贈答品を受ける者に対して種々の演出を施しつつ必要なメッセージを確実に伝えることのできるギフト用包装キットを提供することを課題とする。
【課題を解決するための手段】
【０００６】
本発明に係るギフト用包装キットは、贈答品を収容する容器と、一方の面に接着手段が設けられるとともに他方の面にメッセージを記入するための記入領域が形成されたメッセージシールとを備え、前記容器は、有底筒状の容器本体と、容器本体に嵌合される蓋体とを備え、前記メッセージシールは、容器本体に蓋体を嵌合したときに容器本体又は蓋体の何れか一方の外側を向いて相手側と対向することになる外側領域に貼着するように構成されるとともに、外側領域に貼着して蓋体を容器本体に嵌合することで容器本体又は蓋体の何れか他方にメッセージが隠蔽されるように記入領域が設定されていることを特徴とする。
【０００７】
上記構成のギフト用包装キットによれば、メッセージを記入するための記入領域が形成されたメッセージシールを備えているため、メッセージシールの記入領域に自分の思いをメッセージとして自筆で記入できる。これにより、メッセージに味わいを出すことができ、自分の思いを相手に伝えることができる。また、メッセージシールは、一方の面に接着手段が設けられているので、容器本体に蓋体を嵌合したときに容器本体又は蓋体の何れか一方の外側を向いて相手側と対向することになる外側領域に貼着することができる。従って、容器本体又は蓋体に貼着する前、すなわち、メッセージを記入し易い状態で記入領域に必要なメッセージを記入することができる。そして、メッセージシールは、外側領域に貼着して蓋体を容器本体に嵌合することで容器本体又は蓋体の何れか他方にメッセージが隠蔽されるように記入領域が設定されているので、未開封状態で第三者にメッセージの内容が把握されることがない。また、上述の如くメッセージが隠蔽されることで、贈答品を受ける者に対し、何らかのメッセージが添えられているかどうかといった期待感を与えたり、メッセージが添えられていないと思わせながらも開封時にメッセージが添えられていたことを認識させて驚きや感動を与えたりするといった演出をすることができる。
【０００８】
本発明の一態様として、一方の面に有色透明又は無色透明の接着層が形成されるとともに該接着層に対して離形紙が剥離可能に積層された有色透明又は無色透明の保護シールを更に備え、該保護シールは、記入領域を被覆可能なサイズに設定されていることが好ましい。このようにすれば、メッセージシールの記入領域を覆うように保護シールをメッセージシールに貼り付けることができ、容器本体に蓋体を嵌合するに際して外側領域と対向することになる容器本体又は蓋体（相手側）の内側に向いた面が接触しても直筆で記入したメッセージが保護シールに保護され、当該メッセージが掠れたり滲んだりしてしまうことを防止することができる。なお、ここで「離形紙」とは、接着層から剥離できるように表面にコーティング等が施されたシート状のものをいい、紙以外に樹脂製のシート等を基材とするものを含む概念である。
【０００９】
本発明の他態様として、前記メッセージシールは、外側領域内に配置可能なサイズに形成され、外側領域に貼着する際に容器本体又は蓋体の何れか一方の開口端側に位置することになる端縁の少なくとも一部に折り返し可能な位置決め用突片が延設されていることが好ましい。このように位置決め用突片を設ければ、外側領域を有する容器本体又は蓋体の開口端部を巻き込むようにして位置決め用突片を折り返すことでメッセージシールが外側領域に対して位置決めされた状態となる。これにより、メッセージシールを容器本体と蓋体との重なりあった領域から外部にはみ出させることなく外側領域に対して貼着することができる。従って、メッセージの内容のみならずメッセージシールの存在も確実に隠蔽することができる。
【００１０】
本発明の別の態様として、一方の面の全面に接着層が形成されるとともに該接着層に対して離形紙が剥離可能に積層されたシール体を備え、シール体は、少なくとも二つの領域が分離可能に構成され、該シール体から分離される領域が、嵌合した容器本体と蓋体とを貼着するための封印シール及び前記メッセージシールになるように構成されていることが好ましい。このようにすれば、一枚のシール体と容器とのセットとすることができ、部品点数を減らすことができる。また、シール体から分離した領域からなる封印シールで容器本体と蓋体とを貼着することで、容器本体に嵌合した蓋体が不用意に脱落することがなく、容器内に贈答品を収容した状態で確実に維持させることができ、また、外側領域に貼着したメッセージが不用意に露呈してしまうことを防止することができる。
【発明の効果】
【００１１】
本発明に係るギフト用包装キットによれば、第三者にメッセージの内容を把握されることなく、贈答品を受ける者に対して種々の演出を施しつつ必要なメッセージを確実に伝えることができるという優れた効果を奏し得る。
【発明を実施するための最良の形態】
【００１２】
以下、本発明の一実施形態に係るギフト用包装キットについて、添付図面を参照しつつ説明する。
【００１３】
本実施形態に係るギフト用包装キットは、図１に示す如く、贈答品（図示しない）を収容する容器１０と、送り主のメッセージが記入されるメッセージシール２０とを備えている。
【００１４】
前記容器１０は、有底筒状の容器本体１００と、容器本体１００に嵌合される蓋体１１０とを備えている。本実施形態に係る容器本体１００は、円筒状の本体側胴部１０１と、該本体側胴部１０１の一端開口を閉塞した底部１０２とで構成されている。そして、本実施形態に係る本体側胴部１０１は、紙管で構成され、底部１０２は、本体側胴部１０１の開口形状に対応して平面視円形状に形成された厚紙により構成されている。そして、該容器本体１００は、本体側胴部１０１の一端部が内側に向けてカール処理されており、他端開口側から嵌め込まれた底部１０２の外周縁部を本体側胴部１０１のカールした部位で受けることで有底円筒状に形成されている。
【００１５】
これに対し、前記蓋体１１０は、円筒状の蓋側胴部１１１と、該蓋側胴部１１１の一端開口を閉塞した閉塞部１１２とで構成されている。前記蓋側胴部１１１は、紙管により構成され、閉塞部１１２は、蓋側胴部１１１の開口形状に対応して平面視円形状に形成された厚紙により構成されている。そして、該蓋体１１０は、蓋側胴部１１１の一端部が内側に向けてカール処理されており、他端開口側から嵌め込まれた閉塞部１１２の外周縁部を蓋側胴部１１１のカールした部位で受けることで、容器本体１００と同様に有底円筒状に形成されている。
【００１６】
本実施形態に係る容器１０は、容器本体１００の他端部に対して蓋体１１０を外嵌することで容器本体１００の開口端を塞ぐようになっている。これに伴い、蓋側胴部１１１は、前記本体側胴部１０１よりも内径が大きく設定されており、容器本体１００（本体側胴部１０１）に蓋体１１０（蓋側胴部１１１）を外嵌したときに互い対向する外側に向いた外側領域１１３（外周面）と内側に向いた内側領域（内週面）とが近接するようになっている。ここで、外側領域１１３と内側領域とが近接とは、両者間にメッセージシール２０が介在できる状態で可能な限り接近している状態を意味する。すなわち、本体側胴部１０１の外径及び蓋側胴部１１１の内径が、互いに嵌合した状態でその間にメッセージシール２０（本実施形態においてはメッセージシール２０と後述する保護シール３０）を介装することのできる微小な隙間が形成される寸法に設定されていることを意味する。
【００１７】
前記メッセージシール２０は、図２（ａ）及び図２（ｂ）に示す如く、一方の面に接着手段２００が設けられるとともに他方の面にメッセージを記入するための記入領域２０１が形成されている。該メッセージシール２０は、容器本体１００に蓋体１１０を嵌合したときに容器本体１００又は蓋体１１０の何れか一方の外側を向いて相手側と対向することになる外側領域１１３に貼着するように構成されている。そして、該メッセージシール２０は、外側領域１１３に貼着して蓋体１１０を容器本体１００に嵌合することで容器本体１００又は蓋体１１０の何れか他方にメッセージが隠蔽されるように記入領域２０１が設定されている。
【００１８】
本実施形態においては、上述の如く、容器本体１００の本体側胴部１０１に蓋体１１０の蓋側胴部１１１が外嵌されるように構成されているため、本体側胴部１０１の他端側の外周面が前記外側領域１１３となり、蓋側胴部１１１の内周面が内側領域となる（図１参照）。なお、図１においてクロスハッチングを付した領域が本実施形態における外側領域１１３を示している。
【００１９】
本実施形態に係るメッセージシール２０は、記入領域２０１が外側領域１１３内に収まるように形状及びサイズが設定されている。前記記入領域２０１は、メッセージシール２０の全面としてもよいが、例えば、所定の領域を画定するよう、メッセージシール２０にフレームを印刷し、そのフレーム内（所定の領域）を記入領域２０１とするようにしてもよい。本実施形態に係るメッセージシール２０は、横長な長方形状に設定されるとともに、各端縁に沿うようにフレーム（図において三点鎖線で示す）が印刷されており、該フレーム内が記入領域２０１に設定されている。該メッセージシール２０は、容器本体１００（本体側胴部１０１）の周方向に長手を合わせるとともに、容器本体１００の軸芯方向に短手（長手方向と直交する方向）を合わせることで、記入領域２０１を含む全体が外側領域１１３内に収まるサイズになっている。これにより、本体側胴部１０１に蓋側胴部１１１を外嵌したときに、外側領域１１３に貼着されたメッセージシール２０全体が蓋側胴部１１１によって隠蔽されるようになっている。
【００２０】
該メッセージシール２０は、一方の面の全面に接着手段としての接着層２００が積層されており、その接着層２００に対して剥離可能に離形紙２０２が積層されている。このように離形紙２０２を積層しておくことで、メッセージシール２０は、メッセージの記入時に机や台等に貼り付いてしまうことが防止される。なお、ここで「離形紙」とは、接着層２００から剥離できるように表面にコーティング等が施されたシート状のものをいい、紙以外に樹脂製のシート等を基材とするものを含む概念である。
【００２１】
本実施形態に係るギフト用包装キット１は、上記構成に加え、一方の面に有色透明又は無色透明の接着層３００が形成されるとともに該接着層３００に対して離形紙３０１が剥離可能に積層された有色透明又は無色透明の保護シール３０を更に備えている。ここでも「離形紙」とは、接着層３００から剥離できるように表面にコーティング等が施されたシート状のものをいい、紙以外に樹脂製のシート等を基材とするものを含む概念である。
【００２２】
保護シール３０は、柔軟な樹脂製シート３０２に接着層３００を積層したもので、記入領域２０１に記入されたメッセージを保護すべく、記入領域２０１を被覆可能なサイズに設定されている。
【００２３】
本実施形態に係る保護シール３０は、メッセージシール２０と一体的にして設けられている。すなわち、保護シール３０は、メッセージシール２０と同形で且つ同サイズに設定されており、何れか一端部を除いて離形紙３０１が積層されており、その一端部がメッセージシール２０の他方の面に貼着されている。このようにすることで、保護シール３０は一端部がメッセージシール２０に固定されながらも離形紙３０１の存在する領域がメッセージシール２０に貼着されず、その他端側から捲ってメッセージシール２０の記入領域２０１にメッセージを記入でき、記入後に保護シール３０から離形紙３０１を剥離して該保護シール３０とメッセージシール２０とを積層状態にして貼着させることができるようになっている。なお、各図においてドットの付した領域が記入領域２０１にメッセージを記入する前の状態（使用前の状態）のメッセージシール２０と保護シール３０とが貼着される領域を示している。
【００２４】
また、本実施形態に係るギフト用包装キット１は、嵌合した容器本体１００と蓋体１１０とを貼着するための封印シール４００を備えている。本実施形態に係るギフト用包装キット１は、一方の面の全面に接着層４０１が形成されるとともに該接着層４０１に対して離形紙４０２が剥離可能に積層されたシール体４０を備えており、メッセージシール２０や封印シール４００の使用時に、シール体４０からメッセージシール２０及び封印シール４００を形成するようになっている。すなわち、シール体４０は、少なくとも二つの領域Ａ，Ｂが分離可能に構成され、その分離された領域Ａ，Ｂが、封印シール４００及び上記構成のメッセージシール２０になるように構成されている。これにより、使用するまでの間、メッセージシール２０及び封印シール４００を別々にすることなく、一体的にしておくことができるようになっている。ここで、シール体４０から各領域Ａ，Ｂを分離させるには、例えば、対象となる領域を抜き取り可能としたり、切り取り可能としたりすればよく、また、少なくとも何れか一つの領域Ａを切り取り可能とするとともに他の領域Ｂを抜き取り可能とすればよい。本実施形態に係るシール体４０は、長方形状に形成されており、長手方向の一端側を残すように他端側の領域Ａを切り取ることで該他端側の領域Ａがメッセージシール２０になり、残りの一端側の一部の領域Ｂを抜き取ることで、抜き取った領域Ｂが封印シール４００になるように構成されている。
【００２５】
本実施形態に係るギフト用包装キット１は、以上の構成からなり、図３（ａ）に示す如く、容器本体１００内に贈答品（プレゼント）を収容するとともに、記入領域２０１にメッセージを記入したメッセージシール２０を本体側胴部１０１の外側領域１１３に貼着した上で蓋体１１０を嵌合することで、贈答品を包装することができるとともにメッセージが隠蔽された状態になる。そして、封印シール４００で容器本体１００の本体側胴部１０１と蓋体１１０の蓋側胴部１１１とを貼着することにより、蓋体１１０の脱落が確実に防止され、贈答品の包装状態及びメッセージの隠蔽状態が確実に維持されることになる。
【００２６】
これにより、相手にプレゼントを渡す際にメッセージの存外に気付かれることがなく、図３（ｂ）に示す如く、開封時（容器本体１００から蓋体１１０を外した時）にメッセージが露呈してその内容を相手に伝えることのできる状態となる。
【００２７】
以上のように、本実施形態に係るギフト用包装キット１によれば、メッセージを記入するための記入領域２０１が形成されたメッセージシール２０を備えているため、メッセージシール２０の記入領域２０１に自分の思いをメッセージとして自筆で記入できる。これにより、メッセージに味わいを出すことができ、自分の思いを相手に確実に伝えることができる。
【００２８】
また、メッセージシール２０の一方の面に接着手段２００が設けられているので、容器本体１００に蓋体１１０を嵌合したときに外側を向いて相手側と対向することになる容器本体１００の外側領域に貼着することができ、記入し易い状態で記入領域２０１に必要なメッセージを記入することができる。そして、メッセージシール２０は、外側領域１１３に貼着して蓋体１１０を容器本体１００に嵌合することで蓋体１１０にメッセージが隠蔽されるように記入領域２０１が設定されているので、未開封状態で第三者にメッセージの内容が把握されることがない。また、上述の如くメッセージが隠蔽されることで、贈答品を受ける者に対し、何らかのメッセージが添えられているかどうかといった期待感を与えたり、メッセージが添えられていないと思わせながらも開封時にメッセージが添えられていたことを認識させて驚きや感動を与えたりするといった演出をすることができる。
【００２９】
従って、本実施形態に係るギフト用包装キット１は、第三者にメッセージの内容を把握されることなく、贈答品を受ける者に対して種々の演出を施しつつ必要なメッセージを確実に伝えることができるという優れた効果を奏し得る。
【００３０】
さらに、本実施形態に係るギフト用包装キット１は、一方の面に有色透明又は無色透明の接着層３００が形成されるとともに該接着層３００に対して離形紙３０１が剥離可能に積層された有色透明又は無色透明の保護シール３０を備え、保護シール３０が、記入領域２０１を被覆可能なサイズに設定されているので、メッセージシール２０の記入領域２０１を覆うように保護シール３０をメッセージシール２０に貼り付けることができ、容器本体１００に蓋体１１０を嵌合するに際して外側領域１１３と対向することになる蓋体（相手側）１１０の内側に向いた面が接触しても直筆で記入したメッセージが保護シール３０に保護され、直筆のメッセージが掠れたり滲んだりしてしまうことを防止することができる。
【００３１】
また、本実施形態に係るギフト用包装キット１は、一方の面の全面に接着層４０１が形成されるとともに該接着層４０１に対して離形紙４０２が剥離可能に積層されたシール体４０を備え、シール体４０は、少なくとも二つの領域Ａ，Ｂが分離可能に構成され、シール体４０から分離させた領域Ａ，Ｂが、嵌合した容器本体１００と蓋体１１０とを貼着するための封印シール４００及び前記メッセージシール２０になるように構成されているので、一枚のシール体４０と容器１０とのセットとすることができ、部品点数を減らすことができる。従って、使用するまでに当該キット１の各構成がバラバラになって紛失してしまうといった事態になるのを抑制することができる。そして、シール体４０から分離した封印シール４００で容器本体１００と蓋体１１０とを貼着することで、容器本体１００に嵌合した蓋体１１０が不用意に脱落することがなく、容器１０内に贈答品を収容した状態で確実に維持させることができ、また、外側領域１１３に貼着したメッセージシール２０（メッセージ）が不用意に露呈してしまうことを防止することができる。
【００３２】
尚、本発明のギフト用包装キットは、上記実施形態に限定されるものではなく、本発明の要旨を逸脱しない範囲内において種々変更を加え得ることは勿論である。
【００３３】
上記実施形態において、容器本体１００の本体側胴部１０１及び蓋体１１０の蓋側胴部１１１を円筒形にした容器１０について説明したが、これに限定されるものではなく、例えば、本体側胴部１０１及び蓋側胴部１１１が多角形筒状（三角筒状や四角筒状等の周囲に角を三つ以上形成された筒状）に形成されたものであってもよい。すなわち、該ギフト用包装キット１の容器１０は、容器本体１００の本体側胴部１０１と蓋体１１０の蓋側胴部１１１を互いに嵌合させるものであればよい。
【００３４】
また、上記実施形態において、容器本体１００の本体側胴部１０１及び蓋体１１０を構成する蓋側胴部１１１を軸心方向において内径及び外径が一定をなす筒状に形成したが、例えば、容器本体１００と蓋体１１０とを嵌合させたときに、外嵌される何れか一方の開口端が相手側に当接するように、少なくとも内嵌される側の外側領域を他の領域（外周）よりも小径にして外周段付き形状に形成してもよい。
【００３５】
上記実施形態において、容器本体１００の本体側胴部１０１に蓋体１１０の蓋側胴部１１１を外嵌させるようにしたが、これに限定されるものではなく、例えば、本体側胴部１０１に蓋側胴部１１１を内嵌するようにしたものであってもよい。この場合、容器本体１００に蓋体１１０を嵌合したときに外側を向いて相手側と対向する外側領域１１３は、蓋体１１０（蓋側胴部１１１）の外周面となるため、メッセージシール２０は蓋体１１０の外側領域１１３にすれば上記実施形態と同様に容器本体１００と蓋体１１０との嵌合でメッセージを隠蔽することができる。
【００３６】
上記実施形態において、メッセージシール２０全体が外側領域１１３に収まるようにメッセージシール２０をサイズ設定したが、これに限定されるものではなく、例えば、メッセージシール２０の記入領域２０１のみが外側領域１１３（蓋体１１０と容器本体１００が互いに重なり合って対向する領域）内に配置できるものであってもよい。この場合、メッセージシール２０が外側領域１１３から外側にはみ出ることがあるが、このはみ出る部分（記入領域２０１以外の領域）に何らかの印刷（例えば、容器１０の外面のデザインと対応した印刷等）を施せば、外側領域１１３からはみ出た部位を容器１０の一部であるとカモフラージュすることができ、相手にメッセージの存在を気付かせることなくプレゼントを渡すことができる。また、メッセージシール２０は、長方形状のものに限定されるものではなく、外形については適宜変更可能である。
【００３７】
上記実施形態において、メッセージシール２０の記入領域２０１を保護するための保護シール３０を設けたが、保護シール３０は必要に応じて設ければよい。但し、使用者がメッセージを記入する手段には、鉛筆、ボールペン、万年筆等の種々の手段が用いられるので、メッセージに対する擦れ等を考慮すれば、上述のように保護シール３０を設けるか、或いは、メッセージシール２０に吸水性の高い紙材等を採用して記入領域２０１に対するインク等の定着性を高めることが好ましいことは言うまでもない。
【００３８】
上記実施形態において、保護シール３０の端部をメッセージシール２０に貼着させてこれらを一体的にするようにしたが、これに限定されるものではなく、保護シール３０をギフト用包装キット１の一構成として採用する場合には、保護シール３０とメッセージシール２０とを別体で用意するようにしてもよい。
【００３９】
上記実施形態において、封印シール４００及びメッセージシール２０が分離可能なシール体４０を一構成とし、使用するまでの間、封印シール４００及びメッセージシール２０を一体的にするようにしたが、これに限定されるものではなく、例えば、メッセージシール２０、及び封印シール４００をそれぞれ別体で構成してもよい。また、封印シール４００は、必要に応じて設ければよいが、包装状態において蓋体１１０と容器本体１００との一体性を確実にするには、当該ギフト用包装キット１の一構成とすることが好ましい。
【００４０】
上記実施形態において、メッセージシール２０を長方形状（矩形状）に形成したため、メッセージシール２０を外側領域１１３内に収まるように配置を適宜調整した上で該メッセージシール２０を外側領域１１３に貼着するようにしたが、これに限定されるものではなく、例えば、図４（ａ）及び図４（ｂ）に示す如く、メッセージシール２０は、前記外側領域１１３内に配置可能なサイズに形成され、該外側領域１１３に貼着する際に該外側領域１１３を有する容器本体１００又は蓋体１１０の開口端側に位置することになる端縁の少なくとも一部に折り返し可能な位置決め用突片２１０が延設されてもよい。このように位置決め用突片２１０を設ければ、図４（ｃ）に示す如く、外側領域１１３を有する容器本体１００又は蓋体１１０の開口端部を巻き込むようにして位置決め用突片２１０を折り返すことでメッセージシール２０が外側領域１１３に対して位置決めされた状態となる。これにより、メッセージ（メッセージシール２０）を容器本体１００と蓋体１１０との重なりあった領域から外部にはみ出させることなく外側領域１１３に対して貼着することができる。従って、メッセージの内容のみならずメッセージシール２０の存在も確実に隠蔽することができる。
【００４１】
上記実施形態において、メッセージシール２０の一方の面全面に接着手段としての接着層２００を設けたが、これに限定されるものではなく、例えば、メッセージシール２０の角部や外周縁部全周又は一部等に部分的に接着層２００を設けるようにしてもよい。すなわち、接着手段２００は、メッセージシール２０を外側領域１１３に貼着した状態で、容器１０と蓋体１１０とを嵌合しても貼着状態を維持できるように設ければよい。
【００４２】
上記実施形態において、一方の面に接着層３００が形成された有色透明又は無色透明な樹脂製シート３０２そのもので保護シール３０を構成したが、例えば、メッセージシール２０に貼着した状態で記入領域２０１（メッセージ）に重ならないように樹脂製シート３０２にフレームやキャラクター等を印刷したものを保護シール３０としてもよい。この場合、保護シール３０とメッセージシール２０との位置決め（保護シール３０のフレーム等と記入領域２０１（メッセージ）等の位置合わせ）の観点から両者を同サイズに設定することが好ましい。
【００４３】
上記実施形態において特に言及しなかったが、当該ギフト用包装キット１の各構成は、使用するまでは、一つのセットとして、単一な袋に全ての構成を入れておいてもよいし、容器１０内にメッセージシール２０や保護シール（シール体）を入れて該容器１０を包装材として兼用するようにしてもよい。
【図面の簡単な説明】
【００４４】
【図１】本発明の一実施形態に係るギフト用包装キットの各構成を説明するための斜視図を示す。
【図２】同実施形態に係るギフト用包装キットのメッセージシール及び保護シールの説明図であって、（ａ）は、保護シールが重ねられた状態のメッセージシールの平面図を示し、（ｂ）は、（ａ）のＩ−Ｉ断面の概略断面図を示す。
【図３】同実施形態に係るギフト用包装キットの使用状態を説明するため斜視図であって、（ａ）は、贈答品を収容するとともにメッセージを隠蔽した包装状態を示し、（ｂ）は、蓋体を容器本体から取り外して開封し、メッセージが露呈した状態を示す。
【図４】本発明の他実施形態に係るギフト用包装キットのメッセージシールの説明図であって、（ａ）は、位置決め突片を一つ備えたメッセージシールの平面図を示し、（ｂ）は、位置決め突片を二つ備えたメッセージシール平面図を示し、（ｃ）は、メッセージシールの貼着態様を説明するための斜視図を示す。
【符号の説明】
【００４５】
１…ギフト用包装キット、１０…容器、２０…メッセージシール、３０…保護シール、４０…シール体、１００…容器本体、１０１…本体側胴部、１０２…底部、１１０…蓋体、１１１…蓋側胴部、１１２…閉塞部、１１３…外側領域、２００…接着手段（接着層）、２０１…記入領域、２０２…離形紙、２１０…位置決め用突片、３００…接着層、３０１…離形紙、３０２…樹脂製シート、４００…封印シール、４０１…接着層、４０２…離形紙、Ａ，Ｂ…領域（分離領域）
【図１】
0005080958.tif 000002
【図２】
0005080958.tif 000003
【図３】
0005080958.tif 000004
【図４】
0005080958.tif 000005